(57)【特許請求の範囲】
【請求項１】
ワイヤレス通信のための方法であって、
ユーザ機器(UE)において、第1のミリメートル波長(mmW)基地局によってサポートされる1つまたは複数のビームフォーミング技法に対応する情報を受信するステップと、
少なくとも1つのUE固有因子を識別するステップであって、
前記少なくとも1つのUE固有因子は、
前記UEにおいて利用されるアプリケーション、もしくは前記UEにおいて利用されるサービス、またはそれらの組合せを含む、
ステップと、
前記受信された情報に少なくとも部分的に基づいて、前記第1のmmW基地局との通信のための送信方式を決定するステップであって、
前記第1のmmW基地局との通信のための前記送信方式を決定するステップが、前記少なくとも1つのUE固有因子に少なくとも部分的に基づく、
ステップと
を含む、方法。
【請求項２】
前記第1のmmW基地局によってサポートされる前記1つまたは複数のビームフォーミング技法は、アナログビームフォーミング技法、デジタルビームフォーミング技法、もしくはハイブリッドビームフォーミング技法、またはそれらの組合せを含む、請求項1に記載の方法。
【請求項３】
前記第1のmmW基地局との通信のための前記送信方式を決定するステップは、
前記第1のmmW基地局への送信のために、アナログビームフォーミング技法、デジタルビームフォーミング技法、またはハイブリッドビームフォーミング技法のうちの1つを選択するステップを含む、請求項1に記載の方法。
【請求項４】
前記決定された送信方式を使用して、前記第1のmmW基地局との発見通信を実施するステップをさらに含む、請求項1に記載の方法。
【請求項５】
前記UEについての少なくとも1つの送信パラメータを前記第1のmmW基地局から受信するステップをさらに含み、
前記第1のmmW基地局との通信のための前記送信方式は、前記少なくとも1つの送信パラメータに少なくとも部分的に基づいて決定される、請求項1に記載の方法。
【請求項６】
少なくとも1つの他の局固有因子を受信するステップをさらに含み、
前記第1のmmW基地局との通信のための前記送信方式は、前記少なくとも1つの他の局固有因子に少なくとも部分的に基づく、請求項1に記載の方法。
【請求項７】
前記第1のmmW基地局によってサポートされる1つまたは複数のビームフォーミング技法に対応する情報を受信するステップは、
前記第1のmmW基地局からブロードキャスト送信を受信するステップを含む、請求項1に記載の方法。
【請求項８】
前記第1のmmW基地局によってサポートされる1つまたは複数のビームフォーミング技法に対応する情報を受信するステップは、
mmW以外の無線アクセス技術を利用する送信を受信するステップを含む、請求項1に記載の方法。
【請求項９】
前記UEにおいて、第2のmmW基地局によってサポートされる1つまたは複数のビームフォーミング技法に対応する情報を受信するステップと、
前記第1のmmW基地局によってサポートされる1つまたは複数のビームフォーミング技法に対応する前記情報と、前記第2のmmW基地局によってサポートされる1つまたは複数のビームフォーミング技法に対応する前記情報とに少なくとも部分的に基づいて、前記第1のmmW基地局を通信のために選択するステップと
をさらに含む、請求項1に記載の方法。
【請求項１０】
コンピュータシステム上で実行されたとき、請求項1〜9のいずれか一項に記載の方法のステップを実施する命令を備える、コンピュータプログラム。
【請求項１１】
ワイヤレス通信のための装置であって、
プロセッサと、
前記プロセッサと電子通信しているメモリと、
前記メモリに記憶された命令であって、前記装置に、
ユーザ機器(UE)において、第1のミリメートル波長(mmW)基地局によってサポートされる1つまたは複数のビームフォーミング技法に対応する情報を受信することと、
少なくとも1つのUE固有因子を識別することであって、
前記少なくとも1つのUE固有因子は、
前記UEにおいて利用されるアプリケーション、もしくは前記UEにおいて利用されるサービス、またはそれらの組合せを含む、
識別することと、
前記受信された情報に少なくとも部分的に基づいて、前記第1のmmW基地局との通信のための送信方式を決定することであって、
前記第1のmmW基地局との通信のための前記送信方式を決定することが、前記少なくとも1つのUE固有因子に少なくとも部分的に基づく、
決定することと
を行わせるように前記プロセッサによって実行可能である命令と
を備える、装置。
【請求項１２】
ワイヤレス通信のための方法であって、
少なくとも1つのユーザ機器(UE)送信パラメータおよび少なくとも1つの局固有因子を識別するステップであって、
前記少なくとも1つの局固有因子は、
ロケーション情報を少なくとも含む、
ステップと、
ミリメートル波長(mmW)基地局から、前記少なくとも1つのUE送信パラメータおよび前記少なくとも1つの局固有因子とともに前記mmW基地局によってサポートされる1つまたは複数のビームフォーミング技法に対応する情報を広告するステップと
を含む、方法。
【請求項１３】
コンピュータシステム上で実行されたとき、請求項12に記載の方法のステップを実施する命令を備える、コンピュータプログラム。
【請求項１４】
ワイヤレス通信のための装置であって、
プロセッサと、
前記プロセッサと電子通信しているメモリと、
前記メモリに記憶された命令であって、前記装置に、
少なくとも1つのユーザ機器(UE)送信パラメータおよび少なくとも1つの局固有因子を識別することであって、
前記少なくとも1つの局固有因子は、
ロケーション情報を少なくとも含む、
識別することと、
ミリメートル波長(mmW)基地局から、前記少なくとも1つのUE送信パラメータおよび前記少なくとも1つの局固有因子とともに前記mmW基地局によってサポートされる1つまたは複数のビームフォーミング技法に対応する情報を広告することと
を行わせるように前記プロセッサによって実行可能である命令と
を備える、装置。
【発明の詳細な説明】
【技術分野】
【０００１】
相互参照
本特許出願は、各々が本出願の譲受人に譲渡された、2015年11月4日に出願した、"Millimeter Wavelength Base Station Beamforming Technique Advertising and Efficient User Equipment Transmission Strategy"と題する、Krishnamoorthyらによる米国特許出願第14/932,887号、および2014年11月7日に出願した、"Millimeter Wavelength Base Station Capability Advertising and Efficient User Equipment Transmission Strategy"と題する、Krishnamoorthyらによる米国仮特許出願第62/076,779号の優先権を主張するものである。
【０００２】
本開示は、ワイヤレス通信システムに関し、より詳細には、ミリメートル波長(mmW)基地局によってサポートされるビームフォーミング技法に対応する情報の広告に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、および直交周波数分割多元接続(OFDMA)システムが含まれる。
【０００４】
例として、ワイヤレス多元接続通信システムは、複数の通信デバイスのための通信を各々が同時にサポートする、いくつかの基地局を含むことができ、各デバイスは、ユーザ機器(UE)と呼ばれる場合がある。基地局は、ダウンリンクチャネル(たとえば、基地局からUEへの送信用)およびアップリンクチャネル(たとえば、UEから基地局への送信用)上でUEと通信し得る。
【０００５】
通信システムは、認可無線周波数スペクトル帯域、共有無線周波数スペクトル帯域、または両方を利用することができる。たとえば、高ギガヘルツ(GHz)帯域における共有ミリメートル波長mmW無線周波数スペクトルを介した通信が、マルチギガビットワイヤレス通信には有望であり得る。他の低周波数システムと比較して、60GHz前後の無線周波数スペクトルには、共有無線周波数スペクトル帯域における帯域幅の増大、短波長(約5mm)によるトランシーバのコンパクトなサイズ、および高い大気吸収による比較的低い干渉を含む、いくつかの利点がある。ただし、反射および散乱損失、高い透過損失および高い経路損失など、この無線周波数スペクトル帯域に関連付けられたいくつかの課題があり、それにより、カバレージの範囲が60GHz前後に制限される。この問題を克服するために、方向性送信が利用され得る。したがって、いくつかの例では、多素子アンテナアレイを使用するビームフォーミングとして知られる技法が、mmWワイヤレス通信に利用され得る。
【０００６】
ビームフォーミングのために、基地局は、アナログ、デジタル、またはハイブリッドビームフォーミング技法を利用してもよい。UEも、そのようなビームフォーミング技法を利用してよい。ただし、基地局およびUEは、異なるビームフォーマーアーキテクチャ(たとえば、アナログ、デジタル、またはハイブリッドビームフォーミング技法をサポートするアーキテクチャ)を所有する場合がある。基地局によってサポートされるビームフォーミング技法がUEによって事前に知られていないとき、UEは、特定の基地局との通信のための効率的な送信方式を決定することができない場合がある。その結果、UEは、特にmmW基地局との通信リンクを確立するための性能が低下する場合がある。
【発明の概要】
【課題を解決するための手段】
【０００７】
記載する特徴は概して、1つまたは複数の基地局によってサポートされるビームフォーミング技法に対応する情報の広告のための1つまたは複数の改良されたシステム、方法、および/または装置に関し、基地局のうちの1つまたは複数が、mmW無線周波数スペクトル帯域を利用し得る。たとえば、基地局によってサポートされるビームフォーミング技法(たとえば、サポートされる1つまたは複数のタイプのビームフォーミング、すなわち、アナログ、デジタルまたはハイブリッド)が広告されてよく、そのような広告は、その後で基地局とのワイヤレス通信を実施することができるUEによって受信され得る。広告は、ロングタームエボリューション(LTE)または他の搬送周波数ネットワークを通して遂行することができ、これは、様々な例では、mmW通信に関連付けられた帯域よりも低い周波数での無線周波数スペクトル帯域における送信の一部であり得る。代替または追加として、mmW基地局は、mmW送信により、たとえばmmWビームスイープを通して、サポートされるビームフォーミング技法に対応する情報をブロードキャストすることができる。いくつかの例では、ビームスイープは、1つまたは複数のアンテナまたはmmWアンテナアレイなどのアンテナアレイを利用するビームフォーミングスイープによって実施され得る。UEは、1つまたは複数の基地局によってサポートされる1つまたは複数のビームフォーミング技法に対応する情報を受信することができ、いくつかの例では、受信した情報を、通信する先の特定の基地局を選択するのに使用してもよい。UEは、受信した情報を、特定の基地局と通信するための送信方式を決定するのに使うこともできる。
【０００８】
ワイヤレス通信のための方法について記載する。本方法は、ユーザ機器(UE)において、第1のミリメートル波長(mmW)基地局によってサポートされる1つまたは複数のビームフォーミング技法に対応する情報を受信するステップと、受信された情報に少なくとも部分的に基づいて、第1のmmW基地局との通信のための送信方式を決定するステップとを含み得る。
【０００９】
ワイヤレス通信のための装置について記載する。本装置は、プロセッサと、プロセッサと電子通信するメモリと、メモリ内に記憶された命令とを含み得る。命令は、プロセッサによって、装置に、ユーザ機器(UE)において、第1のミリメートル波長(mmW)基地局によってサポートされる1つまたは複数のビームフォーミング技法に対応する情報を受信させ、受信された情報に少なくとも部分的に基づいて、第1のmmW基地局との通信のための送信方式を決定させるように実行可能であり得る。
【００１０】
ワイヤレス通信のための別の装置について説明する。本装置は、ユーザ機器(UE)において、第1のミリメートル波長(mmW)基地局によってサポートされる1つまたは複数のビームフォーミング技法に対応する情報を受信するための手段と、受信された情報に少なくとも部分的に基づいて、第1のmmW基地局との通信のための送信方式を決定するための手段とを含み得る。
【００１１】
ワイヤレス通信のためのコードを記憶する非一時的コンピュータ可読媒体について記載する。コードは、装置に、ユーザ機器(UE)において、第1のミリメートル波長(mmW)基地局によってサポートされる1つまたは複数のビームフォーミング技法に対応する情報を受信させ、受信された情報に少なくとも部分的に基づいて、第1のmmW基地局との通信のための送信方式を決定させるように実行可能な命令を含み得る。
【００１２】
本方法、装置、または非一時的コンピュータ可読媒体のいくつかの例では、第1のmmW基地局によってサポートされる1つまたは複数のビームフォーミング技法は、アナログビームフォーミング技法、デジタルビームフォーミング技法、もしくはハイブリッドビームフォーミング技法、またはそれらの組合せを含む。
【００１３】
本方法、本装置、または非一時的コンピュータ可読媒体のいくつかの例では、第1のmmW基地局との通信のための送信方式を決定することは、第1のmmW基地局への送信用に、アナログビームフォーミング技法、デジタルビームフォーミング技法、またはハイブリッドビームフォーミング技法のうちの1つを選択するためのステップ、特徴、手段、または命令を含み得る。
【００１４】
本方法、本装置、または非一時的コンピュータ可読媒体のいくつかの例は、決定された送信方式を使用して、第1のmmW基地局との発見通信を実施するためのステップ、特徴、手段、または命令を含み得る。
【００１５】
本方法、本装置、または非一時的コンピュータ可読媒体のいくつかの例は、少なくとも1つのUE固有因子を識別し、少なくとも1つのUE固有因子に少なくとも部分的に基づいて、第1のmmW基地局との通信のための送信方式を決定するためのステップ、特徴、手段、または命令を含み得る。本方法、本装置、または非一時的コンピュータ可読媒体のいくつかの例では、少なくとも1つのUE固有因子は、UEのバッテリに関連付けられた電力レベル、UEのバッテリの格納レベル、UEのリソース利用可能性、UEにおいて利用されるアプリケーションもしくはUEにおいて利用されるサービス、またはそれらの組合せを含み得る。方法、装置、または非一時的コンピュータ可読媒体のいくつかの例では、UEのリソース利用可能性は、アンテナ利用可能性もしくは無線周波数チェーン利用可能性、またはそれらの組合せを含み得る。
【００１６】
本方法、本装置、または非一時的コンピュータ可読媒体のいくつかの例は、UEについての少なくとも1つの送信パラメータを第1のmmW基地局から受信し、少なくとも1つの送信パラメータに少なくとも部分的に基づいて、第1のmmW基地局との通信のための送信方式を決定するためのステップ、特徴、手段、または命令を含み得る。
【００１７】
本方法、本装置、または非一時的コンピュータ可読媒体のいくつかの例は、少なくとも1つの他の局固有因子を受信し、少なくとも1つの他の局固有因子に少なくとも部分的に基づいて、第1のmmW基地局との通信のための送信方式を決定するためのステップ、特徴、手段、または命令を含み得る。
【００１８】
本方法、本装置、または非一時的コンピュータ可読媒体のいくつかの例では、第1のmmW基地局によってサポートされる1つまたは複数のビームフォーミング技法に対応する情報を受信することは、第1のmmW基地局からブロードキャスト送信を受信するためのステップ、特徴、手段、または命令を含み得る。
【００１９】
本方法、本装置、または非一時的コンピュータ可読媒体のいくつかの例では、第1のmmW基地局によってサポートされる1つまたは複数のビームフォーミング技法に対応する情報を受信することは、mmW以外の無線アクセス技術を利用して送信を受信するためのステップ、特徴、手段、または命令を含み得る。
【００２０】
本方法、本装置、または非一時的コンピュータ可読媒体のいくつかの例は、UEにおいて、第2のmmW基地局によってサポートされる1つまたは複数のビームフォーミング技法に対応する情報を受信し、第1のmmW基地局によってサポートされる1つまたは複数のビームフォーミング技法に対応する情報および第2のmmW基地局によってサポートされる1つまたは複数のビームフォーミング技法に対応する情報に少なくとも部分的に基づいて、第1のmmW基地局を、UEとの通信のために選択するためのステップ、特徴、手段、または命令を含み得る。
【００２１】
ワイヤレス通信のための方法について記載する。本方法は、ミリメートル波長(mmW)基地局から、mmW基地局によってサポートされる1つまたは複数のビームフォーミング技法に対応する情報を広告するステップを含み得る。
【００２２】
ワイヤレス通信のための装置について記載する。本装置は、プロセッサと、プロセッサと電子通信するメモリと、メモリ内に記憶された命令とを含み得る。命令は、プロセッサによって、装置に、ミリメートル波長(mmW)基地局から、mmW基地局によってサポートされる1つまたは複数のビームフォーミング技法に対応する情報を広告させるように実行可能であり得る。
【００２３】
ワイヤレス通信のための別の装置について説明する。本装置は、ミリメートル波長(mmW)基地局から、mmW基地局によってサポートされる1つまたは複数のビームフォーミング技法に対応する情報を広告するための手段を含み得る。
【００２４】
ワイヤレス通信のためのコードを記憶する非一時的コンピュータ可読媒体について記載する。コードは、装置に、ミリメートル波長(mmW)基地局から、mmW基地局によってサポートされる1つまたは複数のビームフォーミング技法に対応する情報を広告させるように実行可能な命令を含み得る。
【００２５】
本方法、本装置、または非一時的コンピュータ可読媒体のいくつかの例では、mmW基地局によってサポートされる1つまたは複数のビームフォーミング技法は、アナログビームフォーミング技法、デジタルビームフォーミング技法、もしくはハイブリッドビームフォーミング技法、またはそれらの組合せを含み得る。
【００２６】
本方法、本装置、または非一時的コンピュータ可読媒体のいくつかの例では、mmW基地局によってサポートされる1つまたは複数のビームフォーミング技法に対応する情報を広告することは、mmW以外の無線アクセス技術を利用することによって、mmW基地局によってサポートされる1つまたは複数のビームフォーミング技法に対応する情報を送信するためのステップ、特徴、手段、または命令を含み得る。
【００２７】
本方法、本装置、または非一時的コンピュータ可読媒体のいくつかの例では、mmW基地局によってサポートされる1つまたは複数のビームフォーミング技法に対応する情報を広告することは、mmW基地局によってサポートされる1つまたは複数のビームフォーミング技法に対応する情報をブロードキャストするためのステップ、特徴、手段、または命令を含み得る。
【００２８】
本方法、本装置、または非一時的コンピュータ可読媒体のいくつかの例では、mmW基地局によってサポートされる1つまたは複数のビームフォーミング技法に対応する情報を広告することは、mmW基地局がビームスイープを実施するためのステップ、特徴、手段、または命令を含み得る。
【００２９】
本方法、本装置、または非一時的コンピュータ可読媒体のいくつかの例は、UEから発見通信を受信するためのステップ、特徴、手段、または命令を含んでよく、発見通信は、mmW基地局によってサポートされる1つまたは複数のビームフォーミング技法に対応する広告された情報に少なくとも部分的に基づく送信方式を有する。
【００３０】
上記では、以下の発明を実施するための形態がより良く理解され得るように、本開示による例の特徴および技術的利点についてかなり広く概説した。追加の特徴および利点は、以下で説明される。開示される概念および具体例は、本開示の同じ目的を実施するための他の構造を修正または設計するための基礎として容易に利用され得る。そのような等価な構造は、添付の特許請求の範囲から逸脱しない。本明細書で開示する概念の特性、それらの編成と動作方法の両方は、添付の図とともに検討されると、関連する利点とともに以下の説明からより良く理解されよう。図の各々は、例示および説明のためだけに提供され、特許請求の範囲の限界を定めるものではない。
【００３１】
本発明の性質および利点のさらなる理解は、以下の図面を参照することによって実現され得る。添付図面では、同様の構成要素または特徴は、同じ参照符号を有する場合がある。さらに、同じタイプの様々な構成要素は、同様の構成要素を区別するダッシュおよび第2のラベルを参照符号に続けることによって区別される場合がある。第1の参照符号のみが明細書で使用される場合、説明は、第2の参照符号とは無関係に、同じ第1の参照符号を有する同様の構成要素のいずれにも適用可能である。
【図面の簡単な説明】
【００３２】
【図１】本開示の態様によるワイヤレス通信システムの例を示す図である。
【図２】本開示の態様による、UEと基地局との間の様々なアクションおよび通信を示すスイム図である。
【図３Ａ】本開示の態様による、ワイヤレス通信で使用するように構成される装置のブロック図である。
【図３Ｂ】本開示の態様による、ワイヤレス通信で使用するように構成される装置のブロック図である。
【図４】本開示の態様による、ワイヤレス通信で使用するように構成される装置のブロック図である。
【図５】本開示の態様による、ワイヤレス通信で使用するように構成されるUEのアーキテクチャの例を示すブロック図である。
【図６】本開示の態様による、ワイヤレス通信で使用するように構成される基地局のアーキテクチャの例を示すブロック図である。
【図７】本開示の態様による、UEによって実装され得る、ワイヤレス通信のための方法の例を示すフローチャートである。
【図８】本開示の態様による、UEによって実装され得る、ワイヤレス通信のための方法の例を示すフローチャートである。
【図９】本開示の態様による、UEによって実装され得る、ワイヤレス通信のための方法の例を示すフローチャートである。
【図１０】本開示の態様による、基地局によって実装され得る、ワイヤレス通信のための方法の例を示すフローチャートである。
【図１１】本開示の態様による、基地局によって実装され得る、ワイヤレス通信のための方法の例を示すフローチャートである。
【発明を実施するための形態】
【００３３】
上述したように、基地局およびUEは、mmW無線周波数スペクトル帯域を利用することによって通信を実施することができ、異なるビームフォーマーアーキテクチャ(アナログ、デジタルまたはハイブリッド)を所有する場合がある。UEは、基地局と通信するための効率的な送信方式を決定するために、基地局によってサポートされるビームフォーミング技法を知っていることが有用であり得る。さらに、UEが通信することができる適切な基地局をUEが選択することができるようにするために、UEは、複数の基地局によってサポートされるビームフォーミング技法を知っていることが有用であり得る。いくつかの例では、この知識は、mmW無線周波数スペクトル帯域を利用する基地局および/またはUEにとって有利であり得る。UEは、決定された送信方式、選択された基地局、または両方を使用して、最小限の電力/リソース消費で性能向上を達成することができる。
【００３４】
ワイヤレス通信システムは、ワイヤレス通信システムのUEへの、1つまたは複数の基地局によってサポートされるビームフォーミング技法(たとえば、サポートされるビームフォーミングのタイプ、すなわちアナログ、デジタルまたはハイブリッド)の広告を利用することができる。たとえば、mmW基地局は、1つまたは複数のmmW基地局によってサポートされる1つまたは複数のビームフォーミング技法に対応する情報を広告してもよく、情報は、いくつかの例では、広告元mmW基地局自体のサポートされるビームフォーミング技法の広告を含み得る。いくつかの例では、そのような広告は、ロングタームエボリューション(LTE)または他の搬送周波数ネットワークを通して遂行することができ、広告は、様々な例では、mmW通信に関連付けられた無線周波数スペクトル帯域よりも低い周波数における無線周波数スペクトル帯域における送信の一部であり得る。代替または追加として、mmW基地局は、mmW送信により、たとえばmmWビームスイープを通して、サポートされるビームフォーミング技法に対応する情報をブロードキャストすることができる。
【００３５】
以下の説明は、例を提供し、特許請求の範囲に記載の範囲、適用性、または例を限定するものではない。本開示の範囲から逸脱することなく、論じられる要素の機能および構成において変更が行われてもよい。様々な例は、必要に応じて、様々な手順または構成要素を省略、置換、または追加することができる。たとえば、説明される方法は、説明されるのとは異なる順序で実施されてよく、様々なステップが追加、省略、または組み合わされてよい。また、様々な例を参照して説明する特徴は、他の例において組み合わされ得る。
【００３６】
図1は、本開示の態様によるワイヤレス通信システム100の例を示す。ワイヤレス通信システム100は、基地局105、UE115、およびコアネットワーク130を含む。コアネットワーク130は、ユーザ認証、アクセス許可、追跡、インターネットプロトコル(IP)接続性、および他のアクセス機能、ルーティング機能、またはモビリティ機能を提供し得る。基地局105は、バックホールリンク132(たとえば、S1など)を通してコアネットワーク130とインターフェースし、UE115との通信のための無線構成およびスケジューリングを実施し得るか、または基地局コントローラ(図示せず)の制御下で動作し得る。様々な例では、基地局105は、ワイヤードまたはワイヤレス通信リンクであり得るバックホールリンク134(たとえば、X1など)を介して、直接的または間接的(たとえば、コアネットワーク130を通して)のいずれかで、互いに通信し得る。
【００３７】
基地局105は、1つまたは複数の基地局アンテナを介して、UE115とワイヤレス通信することができる。いくつかの例では、基地局アンテナは、1つまたは複数の基地局アンテナアレイ内に配置され得る。1つまたは複数の基地局アンテナまたは基地局アンテナアレイは、アンテナタワーなどのアンテナアセンブリに共置されてよい。追加または代替として、基地局105に関連付けられた基地局アンテナまたは基地局アンテナアレイは、多様な地理的ロケーションに配置され得る。様々な例では、基地局105は、1つまたは複数のUE115との方向性通信のためのビームフォーミング動作を行うのに、複数の基地局アンテナまたは基地局アンテナアレイを使うことができる。
【００３８】
基地局105の各々は、それぞれの地理的カバレージエリア110に通信カバレージを提供することができる。図示した例において、基地局105のうちの1つまたは複数は、いくつかの例では無認可無線周波数スペクトル帯域であり得る共有mmW無線周波数スペクトル帯域を使用し得る。mmW無線周波数スペクトル帯域を介した通信をサポートする基地局105の各々は、mmW基地局と呼ばれ得る。さらに、この例では、基地局105-aは、LTEなどの異なる無線アクセス技術をさらに使用することができ、トランシーバ基地局、無線基地局、アクセスポイント、無線トランシーバ、ノードB、eノードB(eNB)、ホームノードB、ホームeノードB、または何らかの他の適切な用語で呼ばれることがある。基地局105の地理的カバレージエリア110は、カバレージエリアの一部分のみを構成するセクタ(図示せず)に分割され得る。ワイヤレス通信システム100は、異なるタイプの基地局105(たとえば、マクロセル基地局および/またはスモールセル基地局)を含み得る。基地局105の各々は、1つまたは複数の通信技術を使用して通信するように構成されてよく、異なる技術に対して、重複する地理的カバレージエリア110が存在し得る。
【００３９】
この例では、ワイヤレス通信システム100は、LTE支援mmWワイヤレスアクセスネットワークである。発展型ノードB(eNB)という用語は、基地局105-aを表すために使用され得るが、UEという用語は、一般にUE115を表すために使用され得る。ワイヤレス通信システム100は、基地局が様々な地理的領域にカバレージを提供する、異種ネットワークであり得る。簡潔にするために単一の基地局105-aが示されているが、ワイヤレス通信システム100内のUEのすべてまたはサブセットをカバーするための地理的カバレージエリア110-aを提供する複数の基地局105-aがあってよい。地理的カバレージエリア110は、マクロセル、スモールセル、および/または他のタイプのセルのための通信カバレージを示し得る。「セル」という用語は、文脈に応じて、基地局、基地局に関連するキャリアもしくはコンポーネントキャリア、またはキャリアもしくは基地局のカバレージエリア(たとえば、セクタなど)を説明するために使用され得る3GPP用語である。
【００４０】
マクロセルは、一般に、比較的大きい地理的エリア(たとえば、半径数キロメートル)をカバーし、ネットワークプロバイダのサービスに加入しているUEによる無制限アクセスを可能にすることができる。スモールセルは、マクロセルと比較すると、マクロセルと同じまたはマクロセルとは異なる(たとえば、認可、専用、無認可、共有などの)周波数帯域で動作し得る低電力基地局である。スモールセルは、様々な例によるピコセル、フェムトセル、およびマイクロセルを含み得る。ピコセルは、比較的小さい地理的エリアをカバーし、ネットワークプロバイダを伴うサービスに加入しているUEによる無制限アクセスを可能にし得る。フェムトセルも、比較的小さい地理的エリア(たとえば、自宅)をカバーすることができ、フェムトセルとの関連付けを有するUE(たとえば、限定加入者グループ(CSG)内のUE、自宅内のユーザ用のUEなど)による制限付きアクセスを提供することができる。マクロセル用の基地局は、マクロ基地局と呼ばれることがある。スモールセル用の基地局は、スモールセル基地局、ピコ基地局、フェムト基地局またはホーム基地局と呼ばれることがある。基地局は、1つまたは複数(たとえば、2つ、3つ、4つなど)のセル(たとえば、コンポーネントキャリア)をサポートし得る。
【００４１】
ワイヤレス通信システム100は、同期動作または非同期動作をサポートし得る。同期動作の場合、基地局は、同様のフレームタイミングを有してもよく、異なる基地局からの送信は、時間的にほぼ整合され得る。非同期動作の場合、基地局は、異なるフレームタイミングを有してもよく、異なる基地局からの送信は、時間的に整合されない場合がある。本明細書で説明する技法は、同期動作または非同期動作のいずれかに使用され得る。
【００４２】
様々な開示される例のいくつかに適応し得る通信ネットワークは、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、論理チャネルを介して通信するためにパケットセグメンテーションおよび再アセンブリを実施することができる。媒体アクセス制御(MAC)レイヤは、優先度処理および論理チャネルのトランスポートチャネルへの多重化を実施することができる。MACレイヤはまた、リンク効率を改善するためにMACレイヤにおいて再送信を行うためにハイブリッドARQ(HARQ)を使用し得る。制御プレーンでは、無線リソース制御(RRC)プロトコルレイヤは、UE115とユーザプレーンデータのための無線ベアラをサポートするコアネットワーク130または基地局105との間のRRC接続の確立、構成、およびメンテナンスを提供し得る。物理(PHY)レイヤにおいて、トランスポートチャネルは物理チャネルにマッピングされ得る。
【００４３】
UE115は、ワイヤレス通信システム100全体にわたって分散され、各UE115は固定でもよくモバイルでもよい。UE115はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の適切な用語で呼ばれる場合があり、またはそれらを含み得る。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、様々なタイプの基地局、およびマクロ基地局、スモールセル基地局、中継基地局などを含むネットワーク機器と通信することが可能であり得る。
【００４４】
図示する例では、通信リンク125は、UE115から基地局105へのアップリンク(UL)送信、および/または基地局105からUE115へのダウンリンク(DL)送信を含み得る。ダウンリンク送信は順方向リンク送信と呼ばれることがあり、アップリンク送信は逆方向リンク送信と呼ばれることがある。各通信リンク125は、1つまたは複数のキャリアを含んでよく、各キャリアは、上記で説明した様々な無線技術に従って変調される複数のサブキャリア(たとえば、異なる周波数の波形信号)から編成される信号であってよい。各被変調信号は、異なるサブキャリア上で送信されてよく、制御情報(たとえば、基準信号、制御チャネル、など)、オーバーヘッド情報、ユーザデータなどを搬送し得る。通信リンク125は、周波数分割複信動作(たとえば、対スペクトルリソースを使用する)または時分割複信動作(たとえば、不対スペクトルリソースを使用する)を使用して、双方向通信を送信することができる。周波数分割複信(たとえば、フレーム構造タイプ1)および時分割複信(たとえば、フレーム構造タイプ2)のためのフレーム構造が定義され得る。
【００４５】
ワイヤレス通信システム100の様々な実施形態では、基地局105および/またはUE115は、ビームフォーミングを利用して基地局105とUE115との間の通信品質、信頼性および/または効率を改善するための複数のアンテナを含み得る。さらに、基地局105-aは、異なる無線アクセス技術(RAT)のブロードキャストを含み得る様々なブロードキャスト能力を提供するために複数のアンテナを含み得る。
【００４６】
上述したように、ワイヤレス通信システム100は、基地局105のうちの1つまたは複数によってサポートされる1つまたは複数のビームフォーミング技法に対応する情報の広告を含み得る。たとえば、基地局105は、基地局105、および/または他の基地局105のうちのいずれかによってサポートされるビームフォーミング技法に対応する情報を、ワイヤレス通信システム100内のUE115のうちの1つまたは複数がそのような情報を受信することができるようなやり方でブロードキャストすることができる。様々な例では、サポートされるビームフォーミング技法に対応する、広告される情報は、UE115と基地局105との間で通信リンク125が確立されていなくても、UEによって受信される場合がある。したがって、UE115は、発見および関連付け手順に先立って、基地局105のうちの1つまたは複数によってサポートされる1つまたは複数のビームフォーミング技法に対応する情報を受信し得る。
【００４７】
いくつかの例では、基地局105は、サポートされるビームフォーミング技法に対応する情報をブロードキャストしてもよい。いくつかの例では、基地局105は、1つまたは複数のサポートされるビームフォーミング技法に対応する情報を送信するのに、ビームスイープを実施してよく、いくつかの例では、ビームスイープは、送信を様々な選択された方向に沿って方向付け、かつ/または集中させるのに、複数のアンテナまたはアンテナアレイにおいてビームフォーミングを利用してよい。いくつかの例では、基地局105は、mmWブロードキャストまたはmmWビームスイープであり得る、mmW無線周波数スペクトル帯域における送信によって、1つまたは複数のサポートされるビームフォーミングアーキテクチャに対応する情報を広告することができる。追加または代替として、基地局105は、たとえば、バックホールリンク134を使用して、基地局105のうちの1つまたは複数によってサポートされる1つまたは複数のビームフォーミング技法に対応する情報を基地局105-aに送信することができる。様々な例では、基地局105-aは、基地局105のうちの1つまたは複数によってサポートされるビームフォーミング技法に対応する情報を、UE115によって情報が受信され得るようにブロードキャストしてもよい。基地局105のうちの1つまたは複数によってサポートされるビームフォーミング技法の広告は、実装固有であってもよく、上記機構、または何らかの他の機構のいずれかを利用してもよい。
【００４８】
図2は、本開示の態様による、UE205と基地局210との間の様々なアクションおよび通信を示すスイム図200を示す。いくつかの例では、基地局210はmmW基地局であってよく、UE205と基地局210の両方が、1つまたは複数のmmW無線周波数スペクトル帯域を介した通信用に構成され得る。mmW基地局によってサポートされる1つまたは複数のビームフォーミング技法に対応する情報を含む第1の通信215が、UE205によって受信され得る。第1の通信215は、基地局210からの送信として示されているが、様々な他の例では、第1の通信215は、異なる基地局(図示せず)からの送信であってよい。様々な例では、第1の通信215は、mmW無線周波数スペクトル帯域を利用する送信であってよく、またはLTEなどの異なる無線アクセス技術(RAT)を利用する送信であってよい。
【００４９】
いくつかの例では、UE205は、複数の基地局によってサポートされる1つまたは複数のビームフォーミング技法に対応する情報をUE205が受信するように、1つまたは複数の他の基地局(図示せず)によってサポートされるビームフォーミング技法に対応する情報を受信することもできる。様々な例では、UE205は、複数の基地局によってサポートされる1つまたは複数のビームフォーミング技法に対応する情報を、各それぞれの基地局からの個々の送信として受信することができ、様々な例では、UE205は、複数の基地局によってサポートされるビームフォーミング技法に対応する情報を、単一の基地局からの送信として受信することができる。サポートされるビームフォーミング技法に対応する情報の送信(たとえば、ブロードキャスト)は、たとえば、UE205が基地局210の送信範囲内で移動するときに届くように定期的であってよい。
【００５０】
いくつかの例では、少なくとも1つの送信パラメータを含む任意選択の第2の通信220が、UE205によって受信され得る。様々な例では、送信パラメータは、電力、送信電力オフセット、タイミング、コーディング、周波数などのうちの1つまたは複数を含み得るが、それらに限定されるわけではない。任意選択の第2の通信220は、基地局210からの送信として示されているが、他の例では、任意選択の第2の通信220は、異なる基地局(図示せず)からの送信であってよい。
【００５１】
いくつかの例では、少なくとも1つの局固有因子を含む任意選択の第3の通信225が、UE205によって受信され得る。様々な例では、局固有因子は、ロケーション情報、信号強度情報、利用可能周波数などを含み得るが、それらに限定されるわけではない。任意選択の第3の通信225は、基地局210からの送信であってよいが、他の例では、任意選択の第3の通信225は、異なる基地局(図示せず)からの送信であってよい。
【００５２】
いくつかの例では、UE205は、複数のmmW基地局によってサポートされる1つまたは複数のビームフォーミング技法に対応する受信された情報に基づいて、複数の基地局から基地局210を選択するためのアクション230を任意選択で実施してよい。いくつかの例では、選択は、基地局のサポートされるビームフォーミング技法に対応する情報のみに基づいてよく、いくつかの例では、選択は、1つまたは複数のUE固有因子にさらに基づいてよい。いくつかの例では、適用可能な場合、選択は、任意選択の第3の通信225に含まれる局固有因子など、UE205によって受信された1つまたは複数の局固有因子にさらに基づいてよい。
【００５３】
UE205は、受信された情報に基づいて、基地局210との通信のための送信方式を決定するためのアクション235を実施し得る。送信方式を決定することは、UE205が基地局210との通信のために利用するべきビームフォーミング技法を選択することを伴う場合があり、選択は、いくつかの例では、通信のための基地局210の選択に従い得る。様々な例では、選択されるビームフォーミング技法は、アナログビームフォーミング技法、デジタルビームフォーミング技法、またはハイブリッドビームフォーミング技法を含み得る。
【００５４】
いくつかの例では、適用可能な場合、送信方式を決定することは、任意選択の第2の通信220に含まれる送信パラメータなど、基地局210から受信される送信パラメータに基づく決定を含み得る。いくつかの例では、適用可能な場合、決定は、任意選択の第3の通信225に含まれる局固有因子など、UE205によって受信された1つまたは複数の局固有因子にさらに基づいてよい。
【００５５】
UE205は、決定された送信方式を使用して、発見または関連付け要求などの第4の通信240を基地局210に送信してよい。したがって、UE205は、UE205の発見処理または基地局210との関連付けのハンドシェイクがまだ起きてないとしても、そのような通信を効率的に実施することができる。概して、UE205はそれに従って、送信方式を選ぶことができ、その結果、UE205の性能がより高まる可能性があり、リソース/電力消費が低減し得る。
【００５６】
図3Aは、本開示の態様による、ワイヤレス通信で使用するように構成される装置305のブロック図300-aを示す。装置305は、図1を参照して記載したUE115または図2を参照して記載したUE205の1つまたは複数の態様の例であり得る。装置305は、レシーバ310、通信マネージャ315、および/またはトランスミッタ320を含み得る。いくつかの例では、装置305はプロセッサ(図示せず)を含み得る。これらの構成要素の各々は、互いに通信していることがある。
【００５７】
装置305の構成要素(ならびに本明細書で説明する他の関連する装置の構成要素)は、ハードウェアで適用可能な機能のうちのいくつかまたはすべてを実施するように適合される1つまたは複数の特定用途向け集積回路(ASIC)を使用して、個々にまたは集合的に実装され得る。追加または代替として、機能は、1つまたは複数の集積回路上で、1つまたは複数の他の処理ユニット(またはコア)によって実施され得る。様々な例では、当技術分野で知られている任意の方法でプログラムされ得る1つまたは複数の他のタイプの集積回路(たとえば、ストラクチャード/プラットフォームASIC、フィールドプログラマブルゲートアレイ(FPGA)、および/または他のセミカスタムIC)が使用されてもよい。各モジュールの機能はまた、1つまたは複数の汎用または特定用途向けプロセッサによって実行されるようにフォーマットされた、メモリにおいて具現化された命令を用いて、全体的または部分的に実装され得る。
【００５８】
レシーバ310は、パケット、ユーザデータ、および/または様々な情報チャネル(たとえば、制御チャネル、データチャネルなど)に関連する制御情報などの情報を受信し得る。様々な例では、レシーバ310は、UE115の1つもしくは複数のトランシーバおよび/またはUE115の1つもしくは複数のアンテナの全部または一部を含み得る。いくつかの例では、レシーバ310は、mmW無線周波数スペクトル帯域、および/またはLTE通信システムに関連付けられた無線周波数スペクトル帯域など、他の無線周波数スペクトル帯域中で信号を受信するように構成され得る。
【００５９】
いくつかの例では、レシーバ310は、1つまたは複数の基地局105によってサポートされる1つまたは複数のビームフォーミング技法に対応する情報をワイヤレス受信するように構成されてよく、それらの技法は、1つまたは複数のmmW基地局によってサポートされるビームフォーミング技法を含み得る。レシーバ310は、後続の通信のための、送信パラメータまたは基地局105の送信方式決定および/もしくは選択のための他の局固有因子などの付加情報ありまたはなしで情報を受信し得る。様々な例では、レシーバ310は、サポートされるビームフォーミング技法に対応する情報を、それぞれの基地局105から、または図1を参照して記載した基地局105-aなど、別の基地局105から受信し得る。様々な例では、サポートされるビームフォーミング技法に対応する情報は、mmW送信の中で、または異なるRATを利用する送信の中で受信され得る。レシーバ310によって受信された情報は、通信マネージャ315に、および装置305の他の構成要素に渡され得る。
【００６０】
通信マネージャ315は、1つまたは複数の基地局によってサポートされる1つまたは複数のビームフォーミング技法に対応する情報(ならびに、送信パラメータ、局固有因子などのような他の任意の情報)を識別し、情報に対して作用し、またはそうでなければ情報を処理するように構成され得る。本明細書に記載するように、通信マネージャ315は、サポートされるビームフォーミング技法に対応する情報に少なくとも部分的に基づいて(および、いくつかの例では、適用可能な場合、受信された送信パラメータ、受信された局固有パラメータ、またはUE固有因子のうちの任意の1つまたは複数を含む他の情報に基づいて)、基地局105と通信するための送信方式を決定してよい。いくつかの例では、適用可能な場合、通信マネージャ315は、複数の基地局105から、通信するべき基地局105を選択することができ、いくつかの例では、選択された基地局105はmmW基地局であってよい。通信マネージャ315は、トランスミッタ320を使用して、決定された送信方式の少なくとも一部分を実装してもよい。
【００６１】
トランスミッタ320は、装置305内で生成されたものを含むとともに通信マネージャ315の制御下のものを含む、装置305の他の構成要素から受信された1つまたは複数の信号を送信することができる。たとえば、トランスミッタ320は、発見処理を実施するとともに装置305を基地局105に関連付ける(たとえば、図1を参照して記載した通信リンク125など、データ通信のための、基地局105との通信リンクを確立する)ための情報を基地局105に送信するように構成され得る。
【００６２】
様々な例では、トランスミッタ320は、UE115の1つもしくは複数のトランシーバおよび/またはUE115の1つもしくは複数のアンテナの全部または一部を含むことができ、様々な例では、トランスミッタ320によって利用される、決定された送信方式は、アナログ、デジタル、またはハイブリッドビームフォーミング技法を含み得る。様々な例では、トランスミッタ320は、mmW無線周波数スペクトル帯域、および/またはLTE通信システムもしくは何らかの他のRATに関連付けられた無線周波数スペクトル帯域など他の無線周波数スペクトル帯域中で信号を送信するように構成され得る。
【００６３】
図3Bは、本開示の態様による、ワイヤレス通信で使用するように構成される装置305-aのブロック図300-bを示す。装置305-aは、図1を参照して記載したUE115、図2を参照して記載したUE205または図3Aを参照して記載した装置305の1つまたは複数の態様の例であり得る。装置305-aは、レシーバ310-a、通信マネージャ315-a、および/またはトランスミッタ320-aを含み得る。装置305はまた、プロセッサ(図示せず)を含み得る。これらの構成要素の各々は、互いに通信していることがある。
【００６４】
装置305-aの構成要素(ならびに本明細書で説明する他の関連する装置の構成要素)は、ハードウェアで適用可能な機能のうちの一部またはすべてを実施するように適合される1つまたは複数の特定用途向け集積回路(ASIC)を使用して、個々にまたは集合的に実装され得る。代替として、機能は、1つまたは複数の集積回路上で、1つまたは複数の他の処理ユニット(またはコア)によって実施され得る。他の例では、当技術分野で知られている任意の方法でプログラムされ得る他のタイプの集積回路(たとえば、構造化/プラットフォームASIC、フィールドプログラマブルゲートアレイ(FPGA)、および他のセミカスタムIC)が使用され得る。各モジュールの機能はまた、1つまたは複数の汎用または特定用途向けプロセッサによって実行されるようにフォーマットされた、メモリにおいて具現化された命令を用いて、全体的または部分的に実装され得る。
【００６５】
レシーバ310-aおよびトランスミッタ320-aは、それぞれ図3Aを参照して説明したレシーバ310およびトランスミッタ320と同様に動作し得る。通信マネージャ315-aは、図3Aを参照して記載した通信マネージャ315と同様の動作を実施することができる。いくつかの例では、通信マネージャ315-aは、ビームフォーミング技法サポート決定器325、因子識別器330および/または送信方式決定器335を含み得る。通信マネージャ315-aの一部として示されているが、これらの構成要素は、コードの別個の要素および/または別個の処理要素など、別個であってよく、これらの構成要素は、適宜に、または必要に応じて、通信マネージャ315-a、レシーバ310-aおよび/またはトランスミッタ320-aと協調することができる。
【００６６】
ビームフォーミング技法サポート決定器325は、1つまたは複数の基地局によってサポートされる1つまたは複数のビームフォーミング技法に対応する情報をレシーバ310-aから受信することができ、技法は、様々な例では、mmW基地局によってサポートされるmmWビームフォーミング技法を含み得る。ビームフォーミング技法サポート決定器は、そのような情報を、それぞれの基地局105によってサポートされるビームフォーミング技法を識別するように処理してもよい。ビームフォーミング技法サポート決定器325はまた、装置305-aによってサポートされるビームフォーミング技法を、たとえば、トランスミッタ320-aに関する情報によって決定することができ、そのような情報は、トランスミッタ320-aから、または記憶されているか、もしくはそうでなければ通信マネージャ315-aによって決定された情報から直接、利用可能であり得る。
【００６７】
因子識別器330は、局固有因子などの情報をレシーバ310-aから受信することができ、情報は、いくつかの例では、基地局105から受信されている場合がある。因子識別器330は、そのような情報を、それぞれの基地局105についての因子を識別するように処理してもよい。追加または代替として、因子識別器330は、デバイス固有(たとえば、UE固有)因子を識別するための情報を、装置305-aの様々な他の構成要素から受信し得る。デバイス固有因子は、装置305-aのバッテリに関連付けられた電力レベル、装置305-aのバッテリの格納レベル、装置305-aのリソース利用可能性(たとえば、アンテナ利用可能性、無線周波数チェーン利用可能性など)、装置305-aにおいて利用されるアプリケーション、装置305-aにおいて利用されるサービスなどを含み得るが、それに限定されない。
【００６８】
送信方式決定器335は、サポートされるビームフォーミング技法(たとえば、必要に応じて、ビームフォーミング技法のサポートをそれぞれの基地局105に関連付けるように処理される)ならびに装置305-aによってサポートされるビームフォーミング技法に対応する情報を、ビームフォーミング技法サポート決定器325から受信し得る。いくつかの例では、送信方式決定器335は、(デバイス固有か、それとも局固有かにかかわらず)因子識別器330から因子を受信し得る。送信方式決定器335は、適宜に、または必要に応じて、基地局105によってサポートされるビームフォーミング技法、装置305-aによってサポートされるビームフォーミング技法、または因子のうちの1つまたは複数に基づいて、適切な送信方式を決定してもよい。たとえば、いくつかの例では、送信方式決定器335は、mmW無線周波数スペクトル帯域を利用して送信方式を決定してよく、いくつかの例では、送信方式決定器335は、アナログビームフォーミング技法、デジタルビームフォーミング技法、またはハイブリッドビームフォーミング技法などのビームフォーミング技法を、mmW基地局との通信用に選択してよい。図2を参照して記載したように、たとえば、送信方式決定器335は、基地局210から受信されたような送信パラメータに部分的に基づいて送信方式を決定してもよい。
【００６９】
いくつかの例では、送信方式決定器335(または通信マネージャ315-aの別の部分)は、適宜に、または必要に応じて、複数の基地局によってサポートされるビームフォーミング技法に対応する情報に基づいて、およびいくつかの例では、装置305-aによってサポートされるビームフォーミング技法、デバイス固有因子、局固有因子、または送信パラメータのうちの1つまたは複数にさらに部分的に基づいて、データ通信に使うべき基地局105を複数の基地局105から選択してよい。送信方式決定器335は次いで、選択された基地局105との通信のための適切な送信方式を決定してもよい。いくつかの例では、送信方式決定器335は、サポートされるビームフォーミング技法に対応する情報がそれについて受信された基地局105の各々との通信のための送信方式を決定し、次いで、選択された基地局105向けの対応する送信方式を、装置305-aによって実装させればよい。
【００７０】
基地局との通信用の、決定された送信方式は、装置305-aにおいてローカルに記憶され得る。したがって、基地局105からの更新された情報がない場合、装置305-aは、装置305-aにおける状況の変化に基づいて基地局105を評価し直し、選択し直し、対応する記憶された送信方式を実装してもよい。代替または追加として、装置305-aは、状況の変化に基づいて送信方式を更新させる場合がある。状況の変化は、装置305-aのロケーションの変化、装置305-aのバッテリに関連付けられた電力レベルの変化、装置305-aのバッテリの格納レベルの変化、または基地局選択および/もしくは送信方式決定のために考慮される他の任意のデバイス固有因子もしくは局固有因子の変化を伴い得る。
【００７１】
図4は、本開示の態様による、ワイヤレス通信で使用するように構成される装置405のブロック図400を示す。装置405は、図1を参照して記載した基地局105または図2を参照して記載した基地局210の1つまたは複数の態様の例であり得る。いくつかの例では、装置405はmmW基地局の例であり得る。装置405は、レシーバ410、通信マネージャ415、および/またはトランスミッタ420を含み得る。いくつかの例では、装置405はプロセッサ(図示せず)を含み得る。これらの構成要素の各々は、互いに通信していることがある。
【００７２】
装置405の構成要素(ならびに本明細書で説明する他の関連する装置の構成要素)は、ハードウェアで適用可能な機能のうちの一部またはすべてを実施するように適合される1つまたは複数の特定用途向け集積回路(ASIC)を使用して、個々にまたは集合的に実装され得る。追加または代替として、機能は、1つまたは複数の集積回路上で、1つまたは複数の他の処理ユニット(またはコア)によって実施され得る。様々な例では、当技術分野で知られている任意の方法でプログラムされ得る1つまたは複数の他のタイプの集積回路(たとえば、ストラクチャード/プラットフォームASIC、フィールドプログラマブルゲートアレイ(FPGA)、および/または他のセミカスタムIC)が使用されてもよい。各モジュールの機能はまた、1つまたは複数の汎用または特定用途向けプロセッサによって実行されるようにフォーマットされた、メモリにおいて具現化された命令を用いて、全体的または部分的に実装され得る。
【００７３】
レシーバ410は、パケット、ユーザデータ、および/または様々な情報チャネル(たとえば、制御チャネル、データチャネルなど)に関連する制御情報などの情報を受信し得る。様々な例では、レシーバ410は、基地局105の1つもしくは複数のトランシーバおよび/または基地局105の1つもしくは複数のアンテナの全部または一部を含むことができ、レシーバ410は、mmW無線周波数スペクトル帯域、および/またはLTE通信システムに関連付けられた無線周波数スペクトル帯域など、他の無線周波数スペクトル帯域中の信号を受信するように構成されてよい。
【００７４】
いくつかの例では、レシーバ410は、1つまたは複数のmmW基地局を含み得る1つまたは複数の他の基地局105によってサポートされる1つまたは複数のビームフォーミング技法に対応する情報を受信するように構成されてよい。レシーバ410は、通信のための、送信パラメータまたは基地局105の送信方式決定および/もしくは選択のための他の局固有因子などの付加情報ありまたはなしで情報を受信し得る。いくつかの例では、レシーバ410は、UEからのビームフォーミングされたmmW送信であってよい発見通信を、UEから受信するように構成され得る。いくつかの例では、発見通信は、基地局105によって広告された情報に基づく送信方式を有してよく、この情報は、装置405によって広告された情報を含み得る。レシーバ410によって受信された情報は、通信マネージャ415に、および装置405の他の構成要素に渡され得る。
【００７５】
通信マネージャ415は、装置405において受信されるか、またはそうでなければ決定された情報を識別し、情報に対して作用し、またはそうでなければ情報を処理するように構成され得る。たとえば、通信マネージャは、1つまたは複数の基地局によってサポートされる1つまたは複数のビームフォーミング技法を決定することができる。いくつかの例では、通信マネージャは、レシーバ410またはトランスミッタ420の一方または両方と通信することによって、装置405のサポートされるビームフォーミング技法を決定してよい。いくつかの例では、通信マネージャは、レシーバ410によって受信された情報により、他の基地局105によってサポートされるビームフォーミング技法を決定してよい。通信マネージャは、図1を参照して記載した通信リンク125など、UEとの通信リンク、図1を参照して記載したバックホールリンク134など、別の基地局との通信リンク、またはバックホールリンク132など、コアネットワークとの通信リンクの確立など、様々なデバイスとの通信の他の部分の態様を管理することもできる。通信マネージャ415は、トランスミッタ420を使用して様々な送信および送信方式を実装することができる。
【００７６】
トランスミッタ420は、装置405内で生成されたものを含むとともに通信マネージャ415の制御下のものを含む、装置405の他の構成要素から受信された1つまたは複数の信号を送信することができる。たとえば、トランスミッタ420は、装置405によってサポートされるビームフォーミング技法を含み得る、1つまたは複数の基地局105によってサポートされる1つまたは複数のビームフォーミング技法に対応する情報を広告するように構成され得る。様々な例では、トランスミッタ420は、ブロードキャストまたはビームスイープの一方または両方によって情報を広告するように構成されてよく、LTE通信システムに関連付けられた無線周波数スペクトル帯域など、mmWまたは他の任意の無線周波数スペクトル帯域により情報を広告することができる。
【００７７】
様々な例では、トランスミッタ420は、基地局105の1つもしくは複数のトランシーバおよび/または基地局105の1つもしくは複数のアンテナの全部または一部を含むことができ、トランスミッタ420によって利用される送信方式は、アナログ、デジタル、またはハイブリッドビームフォーミング技法を含み得る。様々な例では、トランスミッタ420は、mmW無線周波数スペクトル帯域、および/またはLTE通信システムもしくは何らかの他のRATに関連付けられた無線周波数スペクトル帯域など他の無線周波数スペクトル帯域中で信号を送信するように構成され得る。
【００７８】
図5は、本開示の態様による、ワイヤレス通信のためのUE115-a向けのアーキテクチャの例を示すブロック図500である。UE115-aは、様々な構成を有してよく、パーソナルコンピュータ(たとえば、ラップトップコンピュータ、ネットブックコンピュータ、タブレットコンピュータなど)、セルラー電話(たとえば、スマートフォン)、PDA、デジタルビデオレコーダ(DVR)、インターネットアプライアンス、ゲームコンソール、電子リーダなどに含まれてよく、またはそれらの一部であってよい。UE115-aは、いくつかのケースでは、モバイル動作を容易にするために、バッテリなどの内部電源(図示せず)を有することがある。UE115-aは、図3Aを参照して記載した装置305、図3Bを参照して記載した装置305-a、または図1もしくは図2を参照して記載したUE115もしくは205のうちの1つまたは複数の、様々な態様の例であり得る。UE115-aは、図1、図2、図3A、図3B、および/または図4を参照して記載した特徴または機能のうちの1つまたは複数を実装することができる。UE115-aは、図1を参照して記載した基地局105、図2を参照して記載した基地局210、または図4を参照して記載した装置405などの基地局と通信することができる。
【００７９】
UE115-aは、プロセッサ505、メモリ510、通信マネージャ520、基地局情報マネージャ525、UE情報マネージャ530、送信方式コントローラ535、少なくとも1つのトランシーバ540、および/または少なくとも1つのアンテナ545を含み得る。様々な例では、UE115-aは、いくつかの例ではmmW無線周波数スペクトル帯域であってよい無線周波数スペクトル帯域を介して信号を受信または送信するためのビームフォーミング技法を利用することができる。したがって、様々な例では、少なくとも1つのアンテナ545は、複数のアンテナ545、またはアンテナアレイ中に構成される複数のアンテナ素子を備えるアンテナ545を指し得る。これらの構成要素の各々は、バス550を介して、直接または間接的に互いと通信することができる。
【００８０】
メモリ510は、ランダムアクセスメモリ(RAM)および/または読取り専用メモリ(ROM)を含み得る。メモリ510は、命令を含むコンピュータ可読、コンピュータ実行可能ソフトウェア/ファームウェアコード515を記憶することができ、命令は、プロセッサ505によって実行されると、UE115-aに、ワイヤレス通信のための、本明細書に記載する様々な機能を実施させる。代替として、コード515は、プロセッサ505によって直接的に実行可能でないことがあるが、場合によっては(たとえば、コンパイルされ実行されると)UE115-aに本明細書に記載する様々な機能を実施させるように実行可能であり得る。
【００８１】
プロセッサ505は、インテリジェントハードウェアデバイス、たとえば、CPU、マイクロコントローラ、ASICなどを含み得る。プロセッサ505は、トランシーバ540を通して受信された情報、および/またはアンテナ545を介した送信のためにトランシーバ540に送られるべき情報を処理し得る。プロセッサ505は、UE115-a向けのワイヤレス通信の様々な態様を、単独で、または通信マネージャ520、基地局情報マネージャ525、UE情報マネージャ530、および/もしくは送信方式コントローラ535とともに扱うことができる。
【００８２】
トランシーバ540は、パケットを変調するための、および変調されたパケットを送信のためにアンテナ545に与え、アンテナ545から受信されたパケットを復調するためのモデムを含み得る。トランシーバ540は、いくつかのケースでは、トランスミッタおよび別個のレシーバとして実装され得る。トランシーバ540は、複数のRAT(たとえば、mmW、LTEなど)による通信をサポートすることができる。トランシーバ540は、アンテナ545を介して、図1を参照して説明した基地局105と双方向に通信することができる。
【００８３】
通信マネージャ520は、基地局105との通信のための送信方式決定を用いたワイヤレス通信に関連した、図1、図2、図3Aおよび/または図3Bを参照して記載した特徴および/または機能の一部または全部を実施および/または制御することができる。たとえば、通信マネージャ520は、1つまたは複数のmmW基地局105によってサポートされる1つまたは複数のビームフォーミング技法、UE115-aによってサポートされるビームフォーミング技法に対応する情報、および可能性としては本明細書に記載する他の情報に少なくとも部分的に基づく送信方式を実装してもよい。通信マネージャ520は、図3Aまたは図3Bを参照して記載した通信マネージャ315または315-aの様々な態様の例であってよい。いくつかの例では、通信マネージャ520、またはその部分は、プロセッサを含み得る。様々な例では、通信マネージャ520の機能性の一部または全部は、プロセッサ505によって、および/またはプロセッサ505とともに実施または指令され得る。
【００８４】
基地局情報マネージャ525は、基地局105との通信のための送信方式決定を用いたワイヤレス通信に関連した、図1、図2、図3Aおよび/または図3Bを参照して記載した特徴および/または機能の一部または全部を実施および/または制御することができる。いくつかの例では、基地局情報マネージャ525は、図3Bを参照して記載した因子識別器330の特徴の一部または全部を実施し得る。たとえば、基地局情報マネージャ525は、1つまたは複数の基地局に対応する局固有情報を収集し、決定し、かつ/または記憶することができ、局固有情報を、UE115-aの様々な部分に分散してもよい。様々な例では、局固有情報は、ロケーション情報、信号強度情報、利用可能周波数などを含み得る。いくつかの例では、基地局情報マネージャ525、またはその部分は、プロセッサを含み得る。様々な例では、基地局情報マネージャ525の機能性の一部または全部は、プロセッサ505によって、および/またはプロセッサ505とともに実施または指令され得る。
【００８５】
UE情報マネージャ530は、基地局105との通信のための送信方式決定を用いたワイヤレス通信に関連した、図1、図2、図3Aおよび/または図3Bを参照して記載した特徴および/または機能の一部または全部を実施および/または制御することができる。いくつかの例では、UE情報マネージャ530は、図3Bを参照して記載した因子識別器330の特徴の一部または全部を実施し得る。たとえば、UE情報マネージャ530は、UE115-aに対応するUE固有情報を収集し、決定し、かつ/または記憶することができ、UE固有情報を、UE115-aの様々な部分に分散してもよい。様々な例では、UE固有情報は、UEのバッテリに関連付けられた電力レベル、UEのバッテリの格納レベル、UEのリソース利用可能性、UEにおいて利用されるアプリケーションもしくはUEにおいて利用されるサービス、またはそれらの組合せを含み得る。いくつかの例では、UE情報マネージャ530、またはその部分は、プロセッサを含み得る。様々な例では、UE情報マネージャ530の機能性の一部または全部は、プロセッサ505によって、および/またはプロセッサ505とともに実施または指令され得る。
【００８６】
送信方式コントローラ535は、基地局105との通信のための送信方式決定を用いたワイヤレス通信に関連した、図1、図2、図3Aおよび/または図3Bを参照して記載した特徴および/または機能の一部または全部を実施および/または制御することができる。いくつかの例では、送信方式コントローラ535は、図3Bを参照して記載した送信方式決定器335の特徴の一部または全部を実施し得る。たとえば、送信方式コントローラ535は、1つまたは複数の基地局105によってサポートされる1つまたは複数のビームフォーミング技法に対応する情報に少なくとも部分的に基づいて、送信方式を決定することができる。いくつかの例では、決定された送信方式は、ビームフォーミング技法を含んでよく、いくつかの例では、mmW基地局との通信用に決定されてよい。いくつかの例では、送信方式コントローラは、送信方式の態様を制御することができ、たとえば、UE115-aによって利用されるビームフォーミングの態様を制御し、制御は、いくつかの例では、トランシーバ540および/またはアンテナ545の部分を制御すること、またはそうでなければ部分に指令することを含み得る。いくつかの例では、送信方式コントローラ535、またはその部分は、プロセッサを含み得る。様々な例では、送信方式コントローラ535の機能性の一部または全部は、プロセッサ505によって、および/またはプロセッサ505とともに実施または指令され得る。
【００８７】
図6は、本開示の態様による、ワイヤレス通信で使用するように構成される基地局105-bのアーキテクチャの例を示すブロック図600を示す。いくつかの例では、基地局105-bは、図1を参照して記載した基地局105、図2を参照して記載した基地局210、または図4を参照して記載した装置405のうちの1つまたは複数の、態様の例であってよい。たとえば、基地局105-bはmmW基地局であってよく、これは、ワイヤレス通信システム内の様々な基地局105および/またはUE115との通信にmmW無線周波数スペクトル帯域を利用する。基地局105-bは、図1、図2、図3A、図3B、および/または図4を参照しながら記載した基地局および/または装置の特徴および機能のうちの少なくとも一部を実装するかまたは容易にするように構成されてよい。
【００８８】
基地局105-bは、基地局プロセッサ605、基地局メモリ610、(基地局トランシーバ625によって表される)少なくとも1つの基地局トランシーバ、(基地局アンテナ630によって表される)少なくとも1つの基地局アンテナ、および/またはUE通信マネージャ620を含み得る。基地局105-bはまた、基地局通信マネージャ635および/またはネットワーク通信マネージャ640を含み得る。これらの構成要素の各々は、1つまたは複数のバス645を介して、直接または間接的に互いに通信している場合がある。
【００８９】
基地局メモリ610は、ランダムアクセスメモリ(RAM)および/または読取り専用メモリ(ROM)を含み得る。基地局メモリ610は、基地局プロセッサ605によって実行されると、基地局105-bに、ワイヤレス通信に関連した、本明細書に記載する様々な機能(たとえば、1つまたは複数の基地局によってサポートされる1つまたは複数のビームフォーミング技法に対応する情報を広告することなど)を実施させるように構成される命令を含むコンピュータ可読、コンピュータ実行可能ソフトウェア/ファームウェアコード615を記憶することができる。代替的に、コンピュータ可読、コンピュータ実行可能ソフトウェア/ファームウェアコード615は、基地局プロセッサ605によって直接実行可能ではなくてもよいが、(たとえば、コンパイルされ実行されると)本明細書で説明された様々な機能を基地局105-bに実施させるように構成され得る。
【００９０】
基地局プロセッサ605は、インテリジェントハードウェアデバイス、たとえば中央処理装置(CPU)、マイクロコントローラ、ASICなどを含み得る。基地局プロセッサ605は、基地局トランシーバ625、基地局通信マネージャ635、UE通信マネージャ620、および/またはネットワーク通信マネージャ640を通して受信された情報を処理し得る。基地局プロセッサ605はまた、基地局アンテナ630を通した送信のために、基地局トランシーバ625に送られるべき情報を処理することができ、送信は、ワイヤレス通信ネットワーク内の様々な基地局105またはUE115への送信を含み得る。基地局プロセッサ605は、単独で、またはUE通信マネージャ620、基地局通信マネージャ635、および/もしくはネットワーク通信マネージャ640とともに、本明細書に記載するように、基地局を選択し、かつ/または送信方式を決定する様々な態様を扱うことができる。
【００９１】
UE通信マネージャ620は、基地局105-bによってサポートされるビームフォーミング技法に対応する情報の広告、ならびにUE115との他の通信に関連した、図1および/または図2を参照して記載した特徴および/または機能の一部または全部を実施および/または制御するように構成され得る。たとえば、UE通信マネージャ620は、1つまたは複数の基地局によってサポートされるビームフォーミング技法に対応する情報(ならびに任意のUE送信パラメータおよび/または局固有因子)をブロードキャストする態様を管理し、またはそうでなければ制御することができ、これは、いくつかの例では、ビームフォーミングアンテナアレイのビームスイープの実施を利用することによって実施され得る。代替または追加として、UE通信マネージャ620は、そのような情報の、基地局105-cおよび/または105-dへの送信を、基地局トランシーバ625および基地局アンテナ630により、または基地局通信マネージャ635により(たとえば、バックホールリンク134を通して)管理し、またはそうでなければ制御することができる。UE通信マネージャ620、もしくはUE通信マネージャ620の部分はプロセッサを含むことができ、かつ/またはUE通信マネージャ620の機能の一部もしくは全部は、基地局プロセッサ605によって、および/もしくは基地局プロセッサ605とともに実施されてよい。
【００９２】
いくつかの例では、基地局通信マネージャ635は、1つまたは複数の他の基地局105-cおよび/または105-dとの通信の態様を管理することができる。たとえば、ネットワーク通信マネージャは、図1を参照して記載した基地局105または105-aとのバックホールリンク134の態様を管理することができる。いくつかの例では、バックホールリンク134は、基地局105-bと他の基地局105-cまたは105-dの一方または両方との間のワイヤード通信リンクであってよく、いくつかの例では、バックホールリンク134は、基地局トランシーバ625および基地局アンテナ630を利用するワイヤレス通信リンクであってよい。様々な例では、ワイヤレスバックホールリンク134は、mmW無線周波数スペクトル帯域またはLTE通信システムに関連付けられた無線周波数スペクトル帯域など、別の無線周波数スペクトル帯域を利用し得る。いくつかの例では、基地局通信マネージャ635、またはその部分は、プロセッサを含み得る。様々な例では、基地局通信マネージャ635の機能性の一部または全部は、基地局プロセッサ605によって、および/または基地局プロセッサ605とともに実施または指令され得る。
【００９３】
いくつかの例では、ネットワーク通信マネージャ640は、コアネットワーク130-aとの通信の態様を管理することができる。たとえば、ネットワーク通信マネージャは、図1を参照して記載したコアネットワーク130とのバックホールリンク132の態様を管理することができる。いくつかの例では、ネットワーク通信マネージャ640、またはその部分は、プロセッサを含み得る。様々な例では、ネットワーク通信マネージャ640の機能性の一部または全部は、基地局プロセッサ605によって、および/または基地局プロセッサ605とともに実施または指令され得る。
【００９４】
いくつかの例では、基地局通信マネージャ635は、1つまたは複数の他の基地局105-cおよび/または105-dとの通信の態様を管理することができる。たとえば、ネットワーク通信マネージャは、図1を参照して記載した基地局105または105-aとのバックホールリンク134の態様を管理することができる。いくつかの例では、バックホールリンク134は、基地局105-bと他の基地局105-cまたは105-dの一方または両方との間のワイヤード通信リンクであってよく、いくつかの例では、バックホールリンク134は、基地局トランシーバ625および基地局アンテナ630を利用するワイヤレスバックホールリンクであってよい。様々な例では、ワイヤレスバックホールリンク134は、mmW無線周波数スペクトル帯域またはLTE通信システムに関連付けられた無線周波数スペクトル帯域など、別の無線周波数スペクトル帯域を利用し得る。いくつかの例では、基地局通信マネージャ635、またはその部分は、プロセッサを含み得る。様々な例では、基地局通信マネージャ635の機能性の一部または全部は、基地局プロセッサ605によって、および/または基地局プロセッサ605とともに実施または指令され得る。
【００９５】
基地局トランシーバ625は、パケットを変調し、変調されたパケットを送信のために基地局アンテナ630に与え、アンテナ630から受信されたパケットを復調するように構成されるモデムを含み得る。基地局トランシーバ625は、いくつかの例では、1つまたは複数の基地局トランスミッタおよび1つまたは複数の別個の基地局レシーバとして実装され得る。基地局トランシーバ625は、第1の無線周波数スペクトル帯域(たとえば、mmW)および/または第2の無線周波数スペクトル帯域(たとえば、LTE)内の通信をサポートし得る。基地局トランシーバ625は、基地局アンテナ630を介して、図1、図2および/または図4を参照して記載したUE115、205、および/もしくは115-a、図1を参照して記載した基地局105、ならびに/または図3A、図3B、および/もしくは図4を参照して記載した装置305、305-a、および/もしくは405などのUEまたは基地局と双方向に通信するように構成され得る。基地局105-aは、たとえば、様々なワイヤレス通信にビームフォーミングを利用することができる複数の基地局アンテナ630(たとえば、アンテナアレイ)を含み得る。基地局105-bは、ネットワーク通信マネージャ640を通してコアネットワーク130-aと通信し得る。基地局105-bはまた、基地局通信マネージャ635を使用して、基地局105-cおよび105-dのような他の基地局と通信してもよい。
【００９６】
図7は、本開示の態様による、UEによって実装され得る、ワイヤレス通信のための方法700の例を示すフローチャートを示す。明快のために、方法700は、図1、図2および/もしくは図5を参照しながら説明したUE115、205および/もしくは115-a、ならびに/または図3Aおよび/もしくは図3Bを参照しながら説明した装置305および/もしくは305-aのうちの1つまたは複数の、態様に関して説明する。いくつかの例では、UEは、方法700の機能を実施するために、UEの機能要素を制御するための命令を含むコードの1つまたは複数のセットを実行し得る。追加または代替として、UEは、専用ハードウェアを使用して、以下で説明するそのような機能を実施することができる。
【００９７】
ブロック705において、方法700は、UEにおいて、いくつかの例ではmmW基地局であってよい基地局によってサポートされる1つまたは複数のビームフォーミング技法に対応する情報を受信することを伴い得る。記載したように、これは、基地局または仲介基地局のいずれかからブロードキャストを受信することを含み得る。様々な例では、情報は、mmW無線周波数スペクトル帯域の送信として、または異なるRATを使う送信中で受信され得る。ブロック705における動作は、たとえば、図3Aもしくは図3Bを参照して記載したレシーバ310および/もしくは通信マネージャ315、図5を参照して記載したプロセッサ505、メモリ510、アンテナ545およびトランシーバ540ならびに/もしくは通信マネージャ520、またはそれらの様々な下位構成要素のうちの任意の1つまたは複数を使用して実施され得る。
【００９８】
ブロック710において、UEは、サポートされるビームフォーミング技法に対応する、受信された情報に少なくとも部分的に基づいて、基地局との通信のための送信方式を決定してよい。ブロック710における動作は、図3Aおよび/もしくは図3Bを参照して記載した通信マネージャ315、プロセッサ505、メモリ510、通信マネージャ520、および/もしくは送信方式コントローラ535、またはそれらの様々な下位構成要素を使用して実施され得る。
【００９９】
したがって、方法700は、効率的送信方式が実装され得るワイヤレス通信を提供し得る。方法700は一実装形態にすぎず、方法700の動作は、他の実装形態が可能であるように並べ替えられ、または場合によっては変更され得ることに留意されたい。
【０１００】
図8は、本開示の態様による、UEによって実装され得る、ワイヤレス通信のための方法800の例を示すフローチャートを示す。明快のために、方法800は、図1、図2および/もしくは図5を参照しながら説明したUE115、205および/もしくは115-a、ならびに/または図3Aおよび/もしくは図3Bを参照しながら説明した装置305および/もしくは305-aのうちの1つまたは複数の、態様に関して説明する。いくつかの例では、UEは、方法800の機能を実施するために、UEの機能要素を制御するための命令を含むコードの1つまたは複数のセットを実行し得る。追加または代替として、UEは、専用ハードウェアを使用して、以下で説明するそのような機能を実施することができる。
【０１０１】
ブロック805において、方法800は、UEにおいて、いくつかの例では1つまたは複数のmmW基地局であってよい1つまたは複数の基地局によってサポートされる1つまたは複数のビームフォーミング技法に対応する情報を受信することを伴い得る。記載したように、これは、基地局または仲介基地局のいずれかからブロードキャストを受信することを含み得る。様々な例では、情報は、mmW無線周波数スペクトル帯域の送信として、または異なるRATを使う送信中で受信され得る。ブロック805における動作は、たとえば、図3Aおよび/もしくは図3Bを参照して記載したレシーバ310および/もしくは通信マネージャ315、図5を参照して記載したアンテナ545、トランシーバ540、プロセッサ505、メモリ510、および/もしくは通信マネージャ520、またはそれらの様々な下位構成要素のうちの任意の1つまたは複数を使用して実施され得る。
【０１０２】
ブロック810において、UEはUE固有因子を識別することができ、これらの因子は、様々な例では、本明細書に記載するように、UEのバッテリに関連付けられた電力レベル、UEのバッテリの格納レベルなどの因子を含み得る。ブロック810における動作は、たとえば、図3Aおよび/もしくは図3Bを参照して記載した通信マネージャ315、図3Bを参照して記載した因子識別器330、図5を参照して記載したプロセッサ505、メモリ510、通信マネージャ520、UE情報マネージャ530、および/もしくは送信方式コントローラ535、またはそれらの様々な下位構成要素のうちの任意の1つまたは複数を使用して実施され得る。
【０１０３】
ブロック815において、UEは、受信された情報に少なくとも部分的に基づいて、基地局との通信のためのビームフォーミング技法を選択してもよい。様々な例では、ビームフォーミング技法は、アナログビームフォーミング技法、デジタルビームフォーミング技法、またはハイブリッドビームフォーミング技法を含み得る。いくつかの例では、ビームフォーミング技法(ならびに決定された送信方式の他の任意の部分)はさらに、識別されたUE固有因子に部分的に基づいて決定され得る。ブロック815における動作は、たとえば、図3Aおよび/もしくは図3Bを参照して記載した通信マネージャ315、図5を参照して記載したプロセッサ505、メモリ510、通信マネージャ520、送信方式コントローラ535、および/もしくはUE情報マネージャ530、またはそれらの様々な下位構成要素のうちの任意の1つまたは複数を使用して実施され得る。
【０１０４】
ブロック820において、UEは、選択されたビームフォーミング技法(ならびに決定された送信方式の他の部分)を使用して、基地局との発見通信を実施することができる。発見通信は、たとえば、後続のデータ通信のために、基地局との通信リンクを確立するためのプロセスの一部であってよい。発見通信は、基地局とのハンドシェイク手順、関連付け要求などの一部であってよい。ブロック820における動作は、たとえば、図3Aおよび/もしくは図3Bを参照して記載した通信マネージャ315および/もしくはトランスミッタ320、図5を参照して記載したトランシーバ540、アンテナ545、プロセッサ505、メモリ510、通信マネージャ520、および/もしくは送信方式コントローラ535、またはそれらの様々な下位構成要素のうちの任意の1つまたは複数を使用して実施され得る。
【０１０５】
したがって、方法800は、効率的送信方式が実装されるとともに基地局との発見および/または関連付けに使われ得るワイヤレス通信を提供し得る。方法800は一実装形態にすぎず、方法800の動作は、他の実装形態が可能であるように並べ替えられ、または場合によっては変更され得ることに留意されたい。
【０１０６】
図9は、本開示の態様による、UEによって実装され得る、ワイヤレス通信のための方法900の例を示すフローチャートを示す。明快のために、方法900は、図1、図2および/もしくは図5を参照しながら説明したUE115、205および/もしくは115-a、ならびに/または図3Aおよび/もしくは図3Bを参照しながら説明した装置305および/もしくは305-aのうちの1つまたは複数の、態様に関して説明する。いくつかの例では、UEは、方法900の機能を実施するために、UEの機能要素を制御するための命令を含むコードの1つまたは複数のセットを実行し得る。追加または代替として、UEは、専用ハードウェアを使用して、以下で説明するそのような機能を実施することができる。
【０１０７】
ブロック905において、方法900は、UEにおいて、いくつかの例では1つまたは複数のmmW基地局であってよい1つまたは複数の基地局によってサポートされる1つまたは複数のビームフォーミング技法に対応する情報を受信することを伴い得る。記載したように、これは、基地局または仲介基地局のいずれかからブロードキャストを受信することを含み得る。様々な例では、情報は、mmW無線周波数スペクトル帯域の送信として、または異なるRATを使う送信中で受信され得る。ブロック905における動作は、たとえば、図3Aおよび/もしくは図3Bを参照して記載したレシーバ310および/もしくは通信マネージャ315、図5を参照して記載したアンテナ545、トランシーバ540、プロセッサ505、メモリ510、および/もしくは通信マネージャ520、またはそれらの様々な下位構成要素のうちの任意の1つまたは複数を使用して実施され得る。
【０１０８】
ブロック910において、UEはUE固有因子を識別することができ、これらの因子は、様々な例では、本明細書に記載するように、UEのバッテリに関連付けられた電力レベル、UEのバッテリの格納レベルなどの因子を含み得る。ブロック910における動作は、たとえば、図3Aおよび/もしくは図3Bを参照して記載した通信マネージャ315、図3Bを参照して記載した因子識別器330、図5を参照して記載したプロセッサ505、メモリ510、通信マネージャ520、UE情報マネージャ530、および/もしくは送信方式コントローラ535、またはそれらの様々な下位構成要素のうちの任意の1つまたは複数を使用して実施され得る。
【０１０９】
ブロック915において、UEは、様々な例では局ロケーション情報、信号強度情報、利用可能周波数などのような因子を含み得る局固有因子を識別することができる。ブロック910における動作は、たとえば、図3Aおよび/もしくは図3Bを参照して記載した通信マネージャ315、図3Bを参照して記載した因子識別器330、図5を参照して記載したプロセッサ505、メモリ510、通信マネージャ520、基地局情報マネージャ525、および/もしくは送信方式コントローラ535、またはそれらの様々な下位構成要素のうちの任意の1つまたは複数を使用して実施され得る。
【０１１０】
ブロック920において、UEは、複数の基地局から、ある基地局を通信用に選択することができる。選択は、複数の基地局によってサポートされるビームフォーミング技法に対応する情報、ならびに、適用可能な場合、任意の識別されたUE固有因子および/または任意の局固有因子に少なくとも部分的に基づき得る。ブロック920における動作は、たとえば、図3Aおよび/もしくは図3Bを参照して記載した通信マネージャ315、図3Bを参照して記載した因子識別器330、図5を参照して記載したプロセッサ505、メモリ510、通信マネージャ520、UE情報マネージャ530、基地局情報マネージャ525、および/もしくは送信方式コントローラ535、またはそれらの様々な下位構成要素のうちの任意の1つまたは複数を使用して実施され得る。
【０１１１】
ブロック925において、UEは、サポートされるビームフォーミング技法に対応する、受信された情報に少なくとも部分的に基づいて、基地局との通信のための送信方式を決定してよい。たとえば、様々な例では、UEは、アナログビームフォーミング技法、デジタルビームフォーミング技法、またはハイブリッドビームフォーミング技法などのビームフォーミング技法を選択してもよい。様々な例では、決定はさらに、どの識別されたUE固有因子および/または識別された局固有因子に基づいてもよい。ブロック925における動作は、図3Aおよび/もしくは図3Bを参照して記載した通信マネージャ315、プロセッサ505、メモリ510、通信マネージャ520、および/もしくは送信方式コントローラ535、またはそれらの様々な下位構成要素を使用して実施され得る。
【０１１２】
ブロック930において、UEは、選択されたビームフォーミング技法(ならびに決定された送信方式の他の部分)を使用して、基地局との発見通信を実施することができる。発見通信は、たとえば、後続のデータ通信のために、基地局との通信リンクを確立するためのプロセスの一部であってよい。発見通信は、基地局とのハンドシェイク手順、関連付け要求などの一部であってよい。ブロック930における動作は、たとえば、図3Aおよび/もしくは図3Bを参照して記載した通信マネージャ315および/もしくはトランスミッタ320、図5を参照して記載したトランシーバ540、アンテナ545、プロセッサ505、メモリ510、通信マネージャ520、および/もしくは送信方式コントローラ535、またはそれらの様々な下位構成要素のうちの任意の1つまたは複数を使用して実施され得る。
【０１１３】
したがって、方法900は、適切な基地局が選択され得るとともに、選択された基地局との効率的送信方式が実装され得るワイヤレス通信を提供し得る。方法900は一実装形態にすぎず、方法900の動作は、他の実装形態が可能であるように並べ替えられ、または場合によっては変更され得ることに留意されたい。
【０１１４】
いくつかの例では、図7、図8、または図9を参照して説明された方法700、800、または900からの2つ以上の態様が組み合わされ得る。方法700、800、および900は例示的な実装形態にすぎず、方法700、800、または900の動作は、他の実装形態が可能であるように並べ替えられ、または場合によっては変更され得ることに留意されたい。
【０１１５】
図10は、本開示の態様による、基地局によって実装され得る、ワイヤレス通信のための方法1000の例を示すフローチャートを示す。明快のために、方法1000は、図1、図2および/もしくは図5を参照して記載した基地局105、210および/もしくは105-b、または図4を参照して記載した装置405のうちの1つまたは複数の、態様を参照して記載され、これらは、様々な例では、1つまたは複数のUE115との通信にmmW無線周波数スペクトル帯域を利用する基地局を指し得る。いくつかの例では、基地局は、方法1000の機能を実施するために、基地局の機能要素を制御するためのコードの1つまたは複数のセットを実行し得る。追加または代替として、基地局は、専用ハードウェアを使用して、以下で説明するそのような機能を実施することができる。
【０１１６】
ブロック1005において、方法1000は、1つまたは複数の基地局によってサポートされる1つまたは複数のビームフォーミング技法を決定することを含み得る。様々な例では、ビームフォーミング技法は、アナログ、デジタル、および/またはハイブリッドビームフォーミング技法であってよく、いくつかの例では、mmW無線周波数スペクトル帯域に適用可能なビームフォーミング技法を指し得る。いくつかの例では、1つまたは複数のビームフォーミング技法は、基地局自体によってサポートされるものであってよい。いくつかの例では、情報は、ワイヤレス通信システムの複数の基地局105によってサポートされるビームフォーミング技法に対応してよく、決定を実施する基地局に関する情報を含む場合も、含まない場合もある。ブロック1005における動作は、たとえば、図4を参照して記載したレシーバ410および/もしくは通信マネージャ415、図6を参照して記載した基地局プロセッサ605、基地局メモリ610、アンテナ630、基地局トランシーバ625、ネットワーク通信マネージャ640、基地局通信マネージャ635、またはそれらの様々な下位構成要素のうちの任意の1つまたは複数を使用して実施され得る。
【０１１７】
ブロック1010において、基地局は、1つまたは複数のサポートされるビームフォーミング技法に対応する情報を広告することができる。様々な例では、本明細書に記載するように、広告は、mmWブロードキャストおよび/もしくはmmWビームスイープなどのmmW無線周波数スペクトル帯域を利用することができるか、またはLTE通信システムに関連付けられた無線周波数スペクトル帯域など、何らかの他の無線周波数スペクトル帯域を利用することができる。ブロック1010における動作は、たとえば、図4を参照して記載したトランスミッタ420および/もしくは通信マネージャ415、図6を参照して記載した基地局プロセッサ605、基地局メモリ610、アンテナ630、基地局トランシーバ625、UE通信マネージャ620、ネットワーク通信マネージャ640、基地局通信マネージャ635、またはそれらの様々な下位構成要素のうちの任意の1つまたは複数を使用して実施され得る。
【０１１８】
したがって、方法1000は、基地局が、サポートされるビームフォーミング技法に対応する情報を広告するワイヤレス通信を提供し得る。方法1000は一実装形態にすぎず、方法1000の動作は、他の実装形態が可能であるように並べ替えられ、または場合によっては変更され得ることに留意されたい。
【０１１９】
図11は、本開示の態様による、基地局によって実装され得る、ワイヤレス通信のための方法1100の例を示すフローチャートを示す。明快のために、方法1100は、図1、図2および/もしくは図5を参照して記載した基地局105、210および/もしくは105-b、または図4を参照して記載した装置405のうちの1つまたは複数の、態様を参照して記載され、これらは、様々な例では、1つまたは複数のUE115との通信にmmW無線周波数スペクトル帯域を利用する基地局を指し得る。いくつかの例では、基地局は、方法1100の機能を実施するために、基地局の機能要素を制御するためのコードの1つまたは複数のセットを実行し得る。追加または代替として、基地局は、専用ハードウェアを使用して、以下で説明するそのような機能を実施することができる。
【０１２０】
ブロック1105において、基地局は、UEが基地局との通信に使うために推奨されるUE送信パラメータを識別することができる。ブロック1110において、基地局は、複数の基地局の中から基地局を選択するために、および/または基地局との通信のための送信方式を決定するためにUEが使うことができる局固有因子を識別することができる。ブロック1105および/または1110における動作は、たとえば、図4を参照して記載したレシーバ410および/もしくは通信マネージャ415、図6を参照して記載した基地局プロセッサ605、基地局メモリ610、アンテナ630、基地局トランシーバ625、ネットワーク通信マネージャ640、基地局通信マネージャ635、またはそれらの様々な下位構成要素のうちの任意の1つまたは複数を使用して実施され得る。
【０１２１】
ブロック1115において、基地局は、基地局によってサポートされる1つまたは複数のサポートされるビームフォーミング技法に対応する情報を、UE送信パラメータおよび局固有因子とともに広告することができる。様々な例では、本明細書に記載するように、広告は、mmWブロードキャストおよび/もしくはmmWビームスイープなどのmmW無線周波数スペクトル帯域を利用することができるか、またはLTE通信システムに関連付けられた無線周波数スペクトル帯域など、何らかの他の無線周波数スペクトル帯域を利用することができる。ブロック1115における動作は、たとえば、図4を参照して記載したトランスミッタ420および/もしくは通信マネージャ415、図6を参照して記載した基地局プロセッサ605、基地局メモリ610、アンテナ630、基地局トランシーバ625、UE通信マネージャ620、ネットワーク通信マネージャ640、基地局通信マネージャ635、またはそれらの様々な下位構成要素のうちの任意の1つまたは複数を使用して実施され得る。
【０１２２】
したがって、方法1100は、基地局によってサポートされる1つまたは複数のビームフォーミング技法に対応する情報を、付加情報とともに基地局が広告するワイヤレス通信を提供し得る。方法1100は一実装形態にすぎず、方法1100の動作は、他の実装形態が可能であるように並べ替えられ、または場合によっては変更され得ることに留意されたい。
【０１２３】
いくつかの例では、図10または図11を参照して説明された方法1000または1100からの態様が組み合わされ得る。方法1000および1100は例示的実装形態にすぎず、方法1000または1100の動作は、他の実装形態が可能であるように並べ替えられ、または場合によっては修正され得ることに留意されたい。
【０１２４】
記載したように、UEは、1つまたは複数の基地局によってサポートされる1つまたは複数のビームフォーミング技法に対応する情報に加え、因子に基づいて送信方式を決定することができる。そのような因子は、UE固有因子または局固有因子を含み得るが、それに限定されるわけではない。たとえば、UEバッテリの格納レベルが考慮されてよく、これは、様々な例では、UEバッテリに残っているエネルギーの量および/またはUEバッテリに残っているバッテリ容量の割合の推定値および/または測定値に対応し得る。いくつかの例では、UEバッテリに関連付けられた電力レベルが考慮されてよく、これは、様々な例では、UEバッテリがサポートすることができる電力ドローの量、または送信方式に関連付けられたUEバッテリ電力についての何らかの他の制限に関連し得る。いくつかの例では、たとえばUEが電力危機シナリオ(たとえば、比較的低いエネルギーがUEバッテリに残り、もしくは比較的低い電力がUEバッテリから利用可能であり、またはUEにおける何らかの他のエネルギーもしくは電力制約)にあるとき、様々な送信技法が、UEバッテリに残っているエネルギーの量に依拠し、または影響し得るので、バッテリ格納レベルまたはバッテリ電力レベルは、適切な送信方式を決定する際の重要因子とみなされ得る。
【０１２５】
UEは、シグナリング(初期発見期間およびハンドシェイキング手順中の、近くの基地局へのブロードキャスト要求信号など)のための複数の無線周波数(RF)チェーンまたは複数のサブアレイを有し得る。送信方式の決定は、UEにおけるそのようなリソースまたはアンテナ利用可能性/能力を考慮に入れてもよい。
【０１２６】
UEは、所与のときに動作中の異なるタイプのアプリケーション/サービス(たとえば、低遅延または高遅延アプリケーション)を有する場合があり、これは、送信方式の決定に影響を与え得る。mmWワイヤレスネットワークが主に、高データレートアプリケーション向けに設計され得るとしても、依然として一定の最小限の遅延を要するアプリケーションもあり得るが、遅延を問題としないアプリケーションもあり得る。低遅延アプリケーションの場合、UEは、複数のビームにより同時送信を可能にするものとして、デジタルビームフォーミングから利益を受ける可能性がある。
【０１２７】
そのようなUE固有因子も、1つまたは複数のサポートされるビームフォーミング技法に対応する情報をUEがそれについて受信した基地局を含む複数の基地局から、1つの基地局を選択するときに考慮されてよい。
【０１２８】
本明細書に記載する技法によると、UEは、1つまたは複数の基地局によってサポートされる1つまたは複数のビームフォーミング技法に対応する情報を、より効率的なやり方でワイヤレス通信を提供するのに利用することができ、それに従って基地局を選択し、かつ/または送信方式を決定してもよく、その結果、UEの性能がより高まる可能性があり、リソース/電力消費が削減され得る。
【０１２９】
本明細書に記載する技法は、mmWベースのワイヤレス通信システムに使うことができるが、そのような技法は、CDMA、TDMA、FDMA、OFDMA、SC-FDMA、および他のシステムなど、様々な他のワイヤレス通信システムに使うこともできる。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実施し得る。OFDMAシステムは、ウルトラモバイルブロードバンド(UMB)、発展型UTRA(E-UTRA)、電気電子技術者協会(IEEE)802.11(WiFi)、IEEE802.16(WiMAX)、IEEE802.20、Flash-OFDM(商標)などの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSMは、「第3世代パートナーシッププロジェクト」(3GPP)という名称の組織からの文書に記載されている。CDMA2000およびUMBについては、「第3世代パートナーシッププロジェクト2」(3GPP2)という名称の組織からの文書に記載されている。本明細書で説明される技法は、上述のシステムおよび無線技術、ならびに無認可帯域幅および/または共有帯域幅にわたるセルラー(たとえば、LTE)通信を含む、他のシステムおよび無線技術に使用され得る。本説明では、例としてLTE/LTE-Aシステムを参照し、上の説明の大部分にお
いてLTE用語が使用される。ただし、記載する技法は、LTE/LTE-Aアプリケーションを超えて適用可能であることを理解されたい。
【０１３０】
添付の図面に関して上記に記載した詳細な説明は、例について説明しており、実装される場合がある例または特許請求の範囲内である例のみを表すものではない。この説明で使用する「例」および「例示的」という用語は、「例、事例、または例示の働きをすること」を意味し、「好ましい」または「他の例よりも有利な」ことを意味しない。詳細な説明は、説明した技法の理解を与える目的で、具体的な詳細を含む。しかしながら、これらの技法は、これらの具体的な詳細を伴わずに実践され得る。いくつかの事例では、説明した例の概念を不明瞭にすることを避けるために、よく知られている構造および装置がブロック図の形で示されている。
【０１３１】
多種多様な技術および技法のうちのいずれかを使用して、情報および信号が表され得る。たとえば、上記の説明全体にわたって参照され得るデータ、命令、コマンド、情報、信号、ビット、記号、およびチップは、電圧、電流、電磁波、磁場もしくは磁性粒子、光場もしくは光学粒子、またはそれらの任意の組合せによって表され得る。
【０１３２】
本明細書の開示に関して説明した様々な例示的なブロックおよび構成要素は、汎用プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは、任意の従来型プロセッサ、コントローラ、マイクロコントローラ、またはステートマシンであり得る。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装され得る。
【０１３３】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴は、機能の一部が異なる物理的ロケーションにおいて実装されるように分散された状態を含め、様々な位置に物理的に置かれてもよい。特許請求の範囲を含めて本明細書で使用する場合、「および/または」という用語は、2つ以上の項目のリストにおいて使用されるとき、列挙される項目のうちのいずれか1つを単独で利用できること、または列挙される項目のうちの2つ以上からなる任意の組合せを利用できることを意味する。たとえば、構成が、構成要素A、B、および/またはCを含むものとして説明される場合、その構成は、A単体、B単体、C単体、AとBを組み合わせて、AとCを組み合わせて、BとCを組み合わせて、またはA、B、およびCを組み合わせて含むことができる。また、特許請求の範囲を含めて本明細書で使用する場合、項目のリスト(たとえば、「のうちの少なくとも1つ」または「のうちの1つまたは複数」などの句で始まる項目のリスト)において使用される「または」は、たとえば、「A、B、またはCのうちの少なくとも1つ」のリストがAまたはBまたはCまたはABまたはACまたはBCまたはABC(すなわち、AおよびBおよびC)を意味するような、選言的リストを示す。
【０１３４】
コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用コンピュータまたは専用コンピュータによってアクセスされ得る任意の利用可能な媒体であってよい。限定ではなく例として、コンピュータ可読媒体は、RAM、ROM、EEPROM、フラッシュメモリ、CD-ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得るとともに、汎用コンピュータもしくは専用コンピュータまたは汎用プロセッそうでしくは専用プロセッサによってアクセスされ得る、任意の他の媒体を備えることができる。また、いかなる接続も適切にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は媒体の定義に含まれる。ディスク(disk)およびディスク(disc)は、本明細書において使用されるとき、コンパクトディスク(disc)(CD)、レーザディスク(disc)、光ディスク(disc)、デジタル多用途ディスク(disc)(DVD)、フロッピーディスク(disk)およびブルーレイディスク(disc)を含み、ディスク(disk)は、通常、データを磁気的に再生し、一方、ディスク(disc)は、データをレーザで光学的に再生する。上記の組合せも、コンピュータ可読媒体の範囲内に含まれる。
【０１３５】
本明細書で使用する、「に基づいて」という句は、条件の閉集合を指すものと解釈されるものではない。たとえば、「条件Aに基づいて」と記載される例示的なステップは、本開示の範囲から逸脱することなく、条件Aと条件Bの両方に基づいてよい。言い換えると、本明細書で使用する、「に基づいて」という句は、「に少なくとも部分的に基づいて」という句と同じように企図されるものである。
【０１３６】
本開示の上の説明は、当業者が本開示を作製または使用することを可能にするために提供される。本開示への様々な修正は当業者には容易に明らかになり、本明細書で定義する一般原理は、本開示の範囲から逸脱することなく他の変形形態に適用され得る。したがって、本開示は、本明細書で説明した例および設計に限定されず、本明細書で開示した原理および新規な特徴と一致する最も広い範囲を与えられるべきである。
【符号の説明】
【０１３７】
100  ワイヤレス通信システム
105  基地局
105-a  基地局
105-b  基地局
105-c  基地局
105-d  基地局
110  カバレージエリア
115  UE
115-a  UE
125  通信リンク
130  コアネットワーク
130-a  コアネットワーク
132  バックホールリンク
134  バックホールリンク、ワイヤレスバックホールリンク
205  UE
210  基地局
305  装置
305-a  装置
310  レシーバ
310-a  レシーバ
315  通信マネージャ
315-a  通信マネージャ
320  トランスミッタ
320-a  トランスミッタ
325  ビームフォーミング技法サポート決定器
330  因子識別器
335  送信方式決定器
405  装置
410  レシーバ
415  通信マネージャ
420  トランスミッタ
505  プロセッサ
510  メモリ
515  コンピュータ可読、コンピュータ実行可能ソフトウェア/ファームウェアコード、コード
520  通信マネージャ
525  基地局情報マネージャ
530  UE情報マネージャ
535  送信方式コントローラ
540  トランシーバ
545  アンテナ
550  バス
605  基地局プロセッサ
610  基地局メモリ
615  コンピュータ可読、コンピュータ実行可能ソフトウェア/ファームウェアコード
620  UE通信マネージャ
625  基地局トランシーバ
630  基地局アンテナ
635  基地局通信マネージャ
640  ネットワーク通信マネージャ
645  バス
【図１】
0006637497.tif 000002
【図２】
0006637497.tif 000003
【図３Ａ】
0006637497.tif 000004
【図３Ｂ】
0006637497.tif 000005
【図４】
0006637497.tif 000006
【図５】
0006637497.tif 000007
【図６】
0006637497.tif 000008
【図７】
0006637497.tif 000009
【図８】
0006637497.tif 000010
【図９】
0006637497.tif 000011
【図１０】
0006637497.tif 000012
【図１１】
0006637497.tif 000013